(57)【要約】【課題】機械自体が小型で、かつ、構成が単純なものであって、被破砕物を効率よく破砕することができる破砕機を提供すること。【解決手段】上部に投入口１１を設けるとともに下部に排出口１２を設けた破砕室１３と、破砕室１３内に互いに９０度位相をずらしてかみ合うように並列して備えられた一対の垂直方向に回転自在のローター１４、１４とを有し、ローター１４が、一対の対向する平面１６、１６と一対の対向する外方向に突き出た湾曲面１７、１７とを備え、その断面形状が一対の対向する直線１８、１８と一対の対向する外方向に突き出た湾曲線１９、１９とに囲まれたものであることを特徴とする破砕機。【選択図】  図１
2014069174.tif 000002
【特許請求の範囲】
【請求項１】
上部に投入口を設けるとともに下部に排出口を設けた破砕室と、
前記破砕室内に互いに９０度位相をずらしてかみ合うように並列して備えられた一対又は二対以上の垂直方向に回転自在のローターとを有し、
前記ローターが、
一対の対向する平面と一対の対向する外方向に突き出た凸面とを備え、
その断面形状が一対の対向する直線と一対の対向する外方向に突き出た凸線とに囲まれたものであることを特徴とする破砕機。
【請求項２】
請求項１記載の破砕機であって、
前記凸面が湾曲面であるとともに、
前記凸線が湾曲線であることを特徴とする破砕機。
【請求項３】
請求項１記載の破砕機であって、
前記凸面が三角状面であるとともに、
前記凸線が三角状線であることを特徴とする破砕機。
【請求項４】
請求項１記載の破砕機であって、
前記凸面が多角面であるとともに、
前記凸線が多角線であることを特徴とする破砕機。
【発明の詳細な説明】
【技術分野】
【０００１】
本発明は、破砕機に関するものである。
特に、粉砕工程の前処理として、岩石、コンクリートの塊、アスファルトの塊、セラミック材の塊などの被破砕物をある程度の大きさに砕くことを目的とした破砕機に関するものである。
【背景技術】
【０００２】
この分野の従来技術としては、上部に被破砕物の投入口を備えるとともに、下部に破砕された被破砕物の排出口を備え、外周部に揺動自在の破砕羽根を設けた第１、第２のローターを左右に２個並列に配置し、第３のローターを第１、第２のローターの間の真下に配置し、更に第１、第２、及び第３のローターを逆三角形状に配置した破砕機が知られている（例えば、特許文献１参照）。
【先行技術文献】
【特許文献】
【０００３】
【特許文献１】実開昭６１−１１１５４８号公報
【発明の概要】
【発明が解決しようとする課題】
【０００４】
しかし、従来技術においては、第１、第２、及び第３のローターを逆三角形状に配置することにより、被破砕物を効率よく破砕することができたが、ローターを三つも必要とすることから、機械自体が大型化し、かつ、機械構成が複雑なものとなってしまうという問題があった。
【０００５】
本発明の目的は、機械自体が小型で、かつ、構成が単純なものであって、被破砕物を効率よく破砕することができる破砕機を提供することである。
【課題を解決するための手段】
【０００６】
本発明の第１の課題解決手段は、上部に投入口を設けるとともに下部に排出口を設けた破砕室と、前記破砕室内に互いに９０度位相をずらしてかみ合うように並列して備えられた一対又は二対以上の垂直方向に回転自在のローターとを有し、前記ローターが、一対の対向する平面と一対の対向する外方向に突き出た凸面とを備え、その断面形状が一対の対向する直線と一対の対向する外方向に突き出た凸線とに囲まれたものであることを特徴とする破砕機である。
【０００７】
本発明の第２の課題解決手段は、第１の課題解決手段の破砕機であって、前記凸面が湾曲面であるとともに、前記凸線が湾曲線であることを特徴とするものである。
【０００８】
本発明の第３の課題解決手段は、第１の課題解決手段の破砕機であって、前記凸面が三角状面であるとともに、前記凸線が三角状線であることを特徴とするものである。
【０００９】
本発明の第４の課題解決手段は、第１の課題解決手段の破砕機であって、前記凸面が多角面であるとともに、前記凸線が多角線であることを特徴とするものである。
【発明の効果】
【００１０】
本発明の第１の課題解決手段は、破砕機を、上記の構成とすることにより、機械自体を小型で、かつ、単純なものとすることができる。
【００１１】
さらに、一対のローターを互いに中央に向かって逆方向に回転させることにより、被破砕物を、一方のローターの平面と他方のローターの平面とで挟んで圧縮するとともに、一方のローターの平面と他方のローターの凸面とで挟んで圧縮することができ、これを繰り返すことにより、効率よく破砕することができる。
【００１２】
また、本発明の第２の課題解決手段では、被破砕物を、一方のローターの平面と他方のローターの湾曲面とで挟んですり潰すことができる。
【００１３】
また、本発明の第３の課題解決手段では、被破砕物を、一方のローターの平面と他方のローターの三角状面とで挟んで、三角状面の角で掻き落とすように圧縮することができる。
【００１４】
また、本発明の第４の課題解決手段では、被破砕物を、一方のローターの平面と他方のローターの多角面とで挟んで、多角面の角でしつこく掻き落とすように圧縮することができる。
【図面の簡単な説明】
【００１５】
【図１】実施例１の破砕機の主要部分の正面断面図である。
【図２】実施例１の破砕機の主要部分の平面断面図である。
【図３】実施例１の破砕機の主要部分の別の平面断面図である。
【図４】実施例１の破砕機の使用状態を示した主要部分の正面断面図である。
【図５】実施例２の破砕機の主要部分の正面断面図である。
【図６】実施例３の破砕機の主要部分の正面断面図である。
【発明を実施するための形態】
【実施例１】
【００１６】
はじめに、本発明の破砕機１０を説明する（図１、２参照）。
【００１７】
破砕機１０は、主に、上部に投入口１１を設けるとともに下部に排出口１２を設けた空間である破砕室１３と、破砕室１３内に互いに９０度位相をずらしてかみ合うように並列して備えられた一対のローター１４、１４とを有するものである。
なお、投入口１１には、取り付け取り外しが可能な蓋２０が備えられている。
【００１８】
一対のローター１４、１４は、駆動手段である減速装置付きモーター（図示しない）に接続されたそれぞれの回転軸１５、１５を介して垂直方向に回転自在となるように設けられている。
【００１９】
一対のローター１４、１４のそれぞれは、破砕用の一対の対向する平面１６、１６と一対の対向する外方向に突き出た凸面である湾曲面１７、１７とを備え、その断面形状が一対の対向する直線１８、１８と一対の対向する外方向に突き出た凸線である湾曲線１９、１９とに囲まれたものである。
【００２０】
なお、一対のローター１４、１４は、破砕室１３内に二対（図３参照）又はそれ以上設けたものとしても良い。
【００２１】
続いて、本発明の破砕機１０の使用状態を説明する。
【００２２】
まず、一対のローター１４、１４を互いに中央に向かって逆方向に回転させる。
なお、一対のローター１４、１４は、初期状態において、一方のローター１４の平面１６、１６が水平方向に向いた時、他方のローター１４の平面１６、１６が垂直方向に向くように、互いに９０度位相をずらしてかみ合うように並列して備えられている（図４（ａ）参照）。
そして、蓋２０を取り外し、被破砕物Ｗのいくつかを投入口１１から破砕室１３内へと投入する。
【００２３】
そして、破砕室１３内に供給された被破砕物Ｗは、互いに逆方向に回転する一対のローター１４、１４の一方のローター１４の平面１６と他方のローター１４の平面１６とに挟まれて圧縮されるとともに（図４（ｂ）、（ｄ）参照）、一方のローター１４の平面１６と他方のローター１４の湾曲面１７とに挟まれてすり潰され（図４（ｃ）参照）、これが繰り返されることにより、効率よく破砕され、破砕物Ｘとして排出口１２からある程度の大きさに砕かれて排出されることとなる。
【実施例２】
【００２４】
次に、本発明の別の破砕機２１を説明する（図５参照）。
【００２５】
なお、破砕機２１は、前述の実施例１の破砕機１０と一対のローターの形状のみが異なるものであるため、共通する部分の説明は省略するとともに、共通する部分は共通する符号を使用する。
【００２６】
破砕機２１の一対のローター２２、２２のそれぞれは、破砕用の一対の対向する平面１６、１６と一対の対向する外方向に突き出た凸面である三角状面２３、２３とを備え、その断面形状が一対の対向する直線１８、１８と一対の対向する外方向に突き出た凸線である三角状線２４、２４とに囲まれたものである。
【００２７】
なお、ローター２２の一対の三角状面２３、２３のそれぞれには、その形状から、三つの角２５が形成されている。
【００２８】
続いて、本発明の破砕機２１の使用状態を説明する（図示しない）。
【００２９】
まず、一対のローター２２、２２を互いに中央に向かって逆方向に回転させる。
そして、蓋２０を取り外し、被破砕物Ｗのいくつかを投入口１１から破砕室１３内へと投入する。
【００３０】
そして、破砕室１３内に供給された被破砕物Ｗは、互いに逆方向に回転する一対のローター２２、２２の一方のローター２２の平面１６と他方のローター２２の平面１６とに挟まれて圧縮されるとともに、一方のローター２２の平面１６と他方のローター２２の三角状面２３とに挟まれて、三角状面２３の角２５で掻き落とされるように圧縮され、これが繰り返されることにより、効率よく破砕され、破砕物Ｘとして排出口１２からある程度の大きさに砕かれて排出されることとなる。
【実施例３】
【００３１】
次に、本発明の更に別の破砕機２６を説明する（図６参照）。
【００３２】
なお、破砕機２６は、前述の実施例１の破砕機１０と一対のローターの形状のみが異なるものであるため、共通する部分の説明は省略するとともに、共通する部分は共通する符号を使用する。
【００３３】
破砕機２６の一対のローター２７、２７のそれぞれは、破砕用の一対の対向する平面１６、１６と一対の対向する外方向に突き出た凸面である多角面２８、２８とを備え、その断面形状が一対の対向する直線１８、１８と一対の対向する外方向に突き出た凸線である多角線２９、２９とに囲まれたものである。
【００３４】
なお、ローター２７の一対の多角面２８、２８のそれぞれには、その形状から、前述の実施例２の破砕機２１の三角状面２３よりも複数の五つの角３０が形成されている。
また、一対の多角面２８、２８のそれぞれの角３０は、四つ以上であれば、その数は特に限定しない。
【００３５】
続いて、本発明の破砕機２６の使用状態を説明する（図示しない）。
【００３６】
まず、一対のローター２７、２７を互いに中央に向かって逆方向に回転させる。
そして、蓋２０を取り外し、被破砕物Ｗのいくつかを投入口１１から破砕室１３内へと投入する。
【００３７】
そして、破砕室１３内に供給された被破砕物Ｗは、互いに逆方向に回転する一対のローター２７、２７の一方のローター２７の平面１６と他方のローター２７の平面１６とに挟まれて圧縮されるとともに、一方のローター２７の平面１６と他方のローター２７の多角面２８とに挟まれて、多角面２８の角３０でしつこく掻き落とされるように圧縮され、これが繰り返されることにより、効率よく破砕され、破砕物Ｘとして排出口１２からある程度の大きさに砕かれて排出されることとなる。
【符号の説明】
【００３８】
１０  破砕機（実施例１）
１１  投入口
１２  排出口
１３  破砕室
１４  ローター（実施例１）
１５  回転軸
１６  平面
１７  湾曲面
１８  直線
１９  湾曲線
２０  蓋
２１  破砕機（実施例２）
２２  ローター（実施例２）
２３  三角状面
２４  三角状線
２５  角（実施例２）
２６  破砕機（実施例３）
２７  ローター（実施例３）
２８  多角面
２９  多角線
３０  角（実施例３）
Ｗ  被破砕物
Ｘ  破砕物
【図１】
2014069174.tif 000003
【図２】
2014069174.tif 000004
【図３】
2014069174.tif 000005
【図４】
2014069174.tif 000006
【図５】
2014069174.tif 000007
【図６】
2014069174.tif 000008